(57)【要約】      （修正有）【課題】人体に接触させてマッサージを実施するだけでなく、衣類などの中に隠して自由に使える振動マッサージシップを提供する。【解決手段】第一基材１０と第二基材２０との間に振動器３０を設置して振動式マッサージシップを構成する。前述の振動マッサージシップで、振動器には表面から外部へ突起する突起部３１が形成され、第一基材の裏側面と第二基材の裏側面は粘着層２４により一つに合体されている。第二基材２０の外側面には、粘着層２４が形成されているので、本実用新案の振動マッサージシップを衣類などで隠し、人体に密着させて使うことができる。【選択図】図１
0003156656.tif 000002
【実用新案登録請求の範囲】
【請求項１】
第一基材（１０）と第二基材（２０）の間に設置される振動器（３０）を含む振動マッサージシップにおいて、振動器（３０）の表面には突起部（３１）が形成され、第一基材（１０）と第二基材（２０）は粘着層（４０）により一つに合体され、第二基材（２０）の外側面（２２）に粘着層（２４）が形成され、粘着層（２４）の上に剥離フィルム（２５）が形成されることを特徴とする振動マッサージシップ。
【請求項２】
第二基材（２０）には振動器（３０）の突起部（３１）を挿入して、突起部（３１）が第二基材（２０）の外側面（２２）から出てくるようにする穴部（２１）が形成されていることを特徴とする請求項１に記載の振動マッサージシップ。
【請求項３】
粘着層（４０）は、第一基材（１０）の裏側面（１１）と第二基材（２０）の裏側面（２３）を一つに合体させる接着面であることを特徴とする請求項１に記載の振動マッサージシップ。
【請求項４】
振動器（３０）には、同じな方向へ突起する少なくとも２つの突起部（３１）が形成され、第二基材（２０）には少なくとも２つの突起部（３１）を通させるため同数量の穴部（２１）が形成されていることを特徴とする請求項２に記載の振動マッサージシップ。
【請求項５】
第二基材（２０）に薬剤が塗布されることを特徴とする請求項１〜請求項３中のいずれか一項に記載されている振動マッサージシップ。
【請求項６】
第二基材（２０）の外側面（２２）には、薬剤が塗布される薬剤塗布層（２６）が形成され、薬剤塗布層（２６）の上には、粘着層（２４）が形成されていることを特徴とする請求項１〜請求項３中のいずれか一項に記載されている振動マッサージシップ。
【請求項７】
振動器（３０）の突起部（３１）の先端部（３２）には、永久磁石が埋め込まれていることを特徴とする請求項１〜請求項４中のいずれか一項に記載されている振動マッサージシップ。
【請求項８】
第一基材（１０）には振動器（３０）を出し入れするための受け口（１３）が形成されていることを特徴とする請求項１〜請求項４中のいずれか一項に記載されている振動マッサージシップ。
【考案の詳細な説明】
【技術分野】
【０００１】      本実用新案は、人体に貼付させてマッサージを与える振動マッサージシップまたは貼付シートとその製品構造に関するものである。
【背景技術】
【０００２】      これまで使用していた殆どのマッサージ器は、手持ち式のマッサージ器である。これは外出先や職場で自由に使用できず、背中など手の回しにくい部位を自分一人でマッサージすることが難しいのである。そのため、振動マッサージ器をシップに内蔵したものを、マッサージしたい部位に貼付すれば、ハンズフリーで且つ容易にマッサージができるようにする発想があった。
【考案の概要】
【考案が解決しようとする課題】
【０００３】      これまで使用していた殆どのマッサージ器は、手持ち式のマッサージ器である。これは外出先や職場で自由に使用できず、その上、背中など手の回しにくい部位を自分一人でマッサージすることが難しいのである。本実用新案の主な目的は、場所を選べず自由に衣類などで隠して使える振動マッサージシップを提供することである。
【課題を解決するための手段】
【０００４】    上記課題を解決するために本実用新案では、第一基材と、第二基材の間に設置される振動器を含む振動マッサージシップを提供する。前記振動マッサージシップで、前記振動器の表面には突起する突起部が形成され、前記第一基材の裏側面と前記第二基材の裏側面は粘着剤により一つに合体されている。【０００５】    前記振動マッサージシップで、前記第二基材には、前記振動器の突起部を挿入させて、突起部が前記第二基材の表面から出るように穴部が形成されている。前記第一基材の裏側面と前記第二基材の裏側面は、接着剤により一体に接着されている。前記第二基材の外側面に粘着層が形成され、粘着層の上に剥離フィルムが形成される。【０００６】    前記振動マッサージシップの振動器には同じ方向突起する２つ以上の突起部が形成され、前記第二基材にはその２つ以上の突起部を通させるため、同数量の穴部が形成されている。前記第二基材に薬剤が塗布されている第二基材の外側面には、薬剤が塗布される薬剤層が形成され、薬剤塗布層の上には、粘着層が形成されている。前記振動器の突起部の先端には、永久磁石を装着して磁石先端部が形成されている。前記第一基材には前記振動器を取付するための受け口が形成されている。
【考案の効果】
【０００７】    上述したように、前記第二基材の外側面に粘着層が形成されているので、本実用新案の振動マッサージシップを衣類などの中に粘着させて使うことができる。即ち、振動マッサージシップを衣類などの中に隠して使うので、他人に気付かれずに自由に使える。
【図面の簡単な説明】
【０００８】
【図１】本実用新案の丸形振動器を使用するマッサージシップ実施例を表す図である。
【図２】図１の組立てた形態を表す図である。
【図３】本実用新案の円筒形振動器を使用するマッサージシップ実施例を表す図である。
【図４】図３の組み立てた形態を表す図である。
【図５】本実用新案の振動マッサージシップ実施例を表す断面図である。
【考案を実施するための形態】
【０００９】    添付される図を参照しながら本実用新案の実施形態に係る振動マッサージシップを説明する。図１〜図４に示すように、本実施形態の振動マッサージシップは、第一基材１０と、第二基材２０の間に設置される振動器３０を表面の外部へ突起する突起部３１が形成されている。前記第一基材１０と前記第二基材２０は、粘着剤４０により一つに合体されている。前記突起部３１は、前記第二基材２０に形成される穴２１を通して前記第二基材２０の外側面２２へ突起している。
【００１０】      前記第二基材２０の外側面２２には、粘着層２４が形成され、この粘着層２４の上には、剥離フィルム２５が形成されている。前記振動器は、前記第一基材１０と前記第二基材２０との間に設置される。本実用新案の振動マッサージシップを使う時、粘着層２４が形成される前記第二基材２０の外側面２２を使用者の肌に接触させる。前記振動器３０の突起部３１が前記第二基材２０の外側面２２から突起しているので、振動器３０の振動波を直接に人体に伝達できることになる、振動器３０と人体がさらに密着することにより突起部３１の先端のマッサージ効果が得られる。前記剥離フィルム２５は、主に前記粘着層２４を保護する作用を起こすが、振動マッサージシップを使う場合は、この剥離フィルム２５を外して使用とする。
【００１１】    他の実施形態で、振動器３０には同じな方向へ突起する少なくとも２つの突起部３１を設け、前記第二基材２０には少なくとも２つの突起部３１を通させるための同数量の穴２１を設けることにする。複数の突起部３１が形成される振動マッサージシップを使う場合、前記突起部３１と人体の接触面が広げられて、ツボマッサージ効果が得られるようになる。
【００１２】    他の実施形態で、前記第二基材２０に薬剤が塗布されることが出来る。第二基材２０に薬剤が塗布されて振動マッサージシップを使う場合、振動効果により体が薬剤の吸収をよくさせ、治療効果を一層向上させることができる。又は、前記第二基材２０の外側面２２に薬剤を塗布する薬剤塗布層２６を設け、この薬剤塗布層２６の上に粘着層２４を設けることができる。
【００１３】    図５に示すように、前記振動マッサージシップのマッサージ効果をさらに向上させるために、振動器３０の突起部３１の先端に永久磁石を先端部３２に埋め込まれることができる。磁石先端部３２が形成される振動マッサージシップを使うと、マッサージ効果を得られるだけではなく、磁石の磁力線により血行促進して、医療効果も期待できる。
【００１４】    図３に示すように、前記第一基材１０には振動器３０を出し入れするための受け口１３が形成されている。前記受け口１３には、受け口１３を閉鎖させるために引締められる弾力性のある材料で加工されている閉鎖装置１４が形成されている。前記受け口１３は、前記振動器３０を容易に振動マッサージシップに出し入れするために設けることである。例えば、前記振動器３０は電池交換する場合、前記受け口１３から振動器３０を取り出しすることができる。前記閉鎖装置１４は、振動器３０が前記受け口１３から落ちることを防ぐことができる。
【００１５】    上述したように、前記第二基材２０の外側面２２には、前記粘着層２４が形成されているので、本実用新案の振動マッサージシップを衣類などで隠し、人体に密着させて使うことができる。即ち、場所を選べず他人に気付かれなく、自由に使える。
【符号の説明】
【００１６】１０  第一基材
１１  第一基材の裏側面
１２  第一基材の外側面
１３  振動器の受け口
１４  受け口の閉鎖装置
１５  粘着面
２０  第二基材
２１  穴部
２２  第二基材の外側面
２３  第二基材の裏側面
２４  粘着層
２５  剥離フィルム
２６  薬剤塗布層
３０  振動器
３１  突出部
３２  磁石（先端部）
４０  第一基材と第二基材との粘着層
【図１】
0003156656.tif 000003
【図２】
0003156656.tif 000004
【図３】
0003156656.tif 000005
【図４】
0003156656.tif 000006
【図５】
0003156656.tif 000007